【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
選択可能な複数の表示アイテムを行毎に並べて表示する表示制御手段と、
前記複数の表示アイテムのうち、現在選択している表示アイテムから第１の軸方向と平行な第１の方向にある他の表示アイテムに選択を切り替える指示と、現在選択している表示アイテムから前記第１の軸方向と平行でない第２の軸方向と平行な第２の方向にある他の表示アイテムに選択を切り替える指示とを受け付け可能な受付手段と、
前記第１の方向に選択を切り替える第１の指示があった場合に、該第１の指示を受け付ける前に選択されていた第１の表示アイテムが表示された行の次の行に含まれる表示アイテムのうち、前記第２の軸方向の位置が、前記第１の表示アイテムの前記第２の軸方向の位置に最も近い第２の表示アイテムを選択し、
前記第１の指示に応じて前記第２の表示アイテムを選択した状態から、前記第２の方向へ選択を切り替える指示がなされることなく、前記第１の方向へ選択を切り替える第２の指示があった場合、前記第２の表示アイテムが表示された行の次の行に含まれる表示アイテムのうち、前記第２の軸方向の位置が、前記第１の表示アイテムの前記第２の軸方向の位置に最も近い表示アイテムを選択するように制御する制御手段
とを有することを特徴とする表示制御装置。
【請求項２】
選択可能な複数の選択可能な表示アイテムを表示する表示制御手段と、
前記複数の表示アイテムのうち、現在選択している表示アイテムから第１の方向にある他の表示アイテムに選択を切り替える指示と、現在選択している表示アイテムから該第１の方向と平行でない第２の方向にある他の表示アイテムに選択を切り替える指示とを受け付け可能な受付手段と、
前記第１の方向に選択を切り替える第１の指示があった場合に、該第１の指示を受け付ける前に選択されていた第１の表示アイテムよりも前記第１の方向にある表示アイテムのうち、前記第１の表示アイテムの位置に基づいて決定される第２の表示アイテムに選択を切り替え、
前記第１の指示に応じて前記第２の表示アイテムを選択した状態から、前記第２の方向に選択を切り替える指示がなされることなく、前記第１の方向に選択を切り替える第２の指示があった場合、前記第２の表示アイテムよりも前記第１の方向にある表示アイテムのうち、前記第１の表示アイテムの位置に基づいて決定される表示アイテムに選択を切り替えるように制御する制御手段と
を有することを特徴とする表示制御装置。
【請求項３】
前記制御手段は、前記第１の指示があった場合に、前記第１の表示アイテムよりも前記第１の方向にある表示アイテムのうち、前記第２の方向と平行な第２の軸方向における前記第１の表示アイテムの位置に基づいて決定される前記第２の表示アイテムに選択を切り替え、
前記第１の指示に応じて前記第２の表示アイテムを選択した状態から、前記第２の方向に選択を切り替える指示がなされることなく、前記第２の指示があった場合、前記第２の表示アイテムよりも前記第１の方向にある表示アイテムのうち、前記第１の表示アイテムの前記第２の軸方向における位置に基づいて決定される表示アイテムに選択を切り替えるように制御する
ことを特徴とする請求項２に記載の表示制御装置。
【請求項４】
前記制御手段は、前記第１の指示があった場合に、前記第１の表示アイテムよりも第１の方向にあって、かつ、前記第２の方向と平行な第２の軸方向における前記第２の表示アイテムの幅をもつ範囲に少なくとも一部が重なる表示アイテムのうち、前記第１の表示アイテムに最も近い第２の表示アイテムに選択を切り替え、
前記第１の指示に応じて前記第２の表示アイテムを選択した状態から、前記第２の方向に選択を切り替える指示がなされることなく、前記第２の指示があった場合、前記第２の表示アイテムよりも前記第１の方向にあって、かつ、前記範囲に少なくとも一部が重なる表示アイテムのうち、前記第１の方向と平行な第１の軸方向における前記第２の表示アイテムの位置と、前記第１の表示アイテムの前記第２の軸方向における位置とに示される点に最もアイテムを選択するように制御する
ことを特徴とする請求項２または３に記載の表示制御装置。
【請求項５】
選択可能な複数の選択可能な表示アイテムを表示する表示制御手段と、
前記複数の表示アイテムのうち、現在選択している表示アイテムから第１の軸方向と平行な第１の方向にある他の表示アイテムに選択を切り替える指示と、現在選択している表示アイテムから前記第１の軸方向と平行でない第２の軸方向と平行な第２の方向にある他の表示アイテムに選択を切り替える指示とを受け付け可能な受付手段と、
前記第１の方向に選択を切り替える第１の指示があった場合に、該第１の指示を受け付ける前に選択されていた第１の表示アイテムよりも第１の方向にあって、かつ、前記第１の表示アイテムの前記第２の軸方向の幅をもつ範囲に少なくとも一部が重なる表示アイテムのうち、前記第１の表示アイテムに最も近い第２の表示アイテムに選択を切り替え、
前記第１の指示に応じて前記第２の表示アイテムを選択した状態から、前記第２の方向に選択を切り替える指示がなされることなく、前記第１の方向に選択を切り替える第２の指示があった場合、前記第２の表示アイテムよりも前記第１の方向にあって、かつ、前記範囲に少なくとも一部が重なる表示アイテムのうち、前記第２の表示アイテムの前記第１の軸方向における位置と、前記第１の表示アイテムの前記第２の軸方向における位置とに示される点に最も近い表示アイテムを選択するように制御する制御手段と
を有することを特徴とする表示制御装置。
【請求項６】
前記第１の指示に応じて前記第２の表示アイテムを選択した後、前記第２の方向に選択を切り替える指示によって第３の表示アイテムを選択した状態から、前記第１の方向に選択を切り替える第３の指示があった場合には、前記制御手段は、前記第１の表示アイテムの位置に関わらずに決定された表示アイテムに選択を切り替えるように制御することを特徴とする請求項１乃至５の何れか１項に記載の表示制御装置。
【請求項７】
前記制御手段は、前記第３の指示があった場合には、前記第３の表示アイテムよりも前記第１の方向にある表示アイテムのうち、前記第２の方向と平行な第２の軸方向における前記第３の表示アイテムの位置に基づいて決定される表示アイテムに選択を切り替えるように制御することを特徴とする請求項６に記載の表示制御装置。
【請求項８】
前記受付手段は更に、前記複数の表示アイテムの表示位置のいずれかに対するタッチ操作を受け付け可能であり、
前記制御手段は、前記第１の指示に応じて前記第２の表示アイテムを選択した後、前記タッチ操作があると該タッチ操作のあった位置に表示された第４の表示アイテムに選択を切り替え、前記タッチ操作に応じて前記第４の表示アイテムを選択した状態から前記第１の方向に選択を切り替える第４の指示があった場合には、前記制御手段は、前記第１の表示アイテムの位置に関わらずに決定された表示アイテムに選択を切り替えるように制御することを特徴とする請求項１乃至７の何れか１項に記載の表示制御装置。
【請求項９】
前記制御手段は、前記第４の指示があった場合には、前記第４の表示アイテムよりも前記第１の方向にある表示アイテムのうち、前記第２の方向と平行な第２の軸方向における前記第４の表示アイテムの位置に基づいて決定される表示アイテムに選択を切り替えるように制御することを特徴とする請求項８に記載の表示制御装置。
【請求項１０】
前記制御手段は、前記第１の指示に応じて前記第２の表示アイテムを選択した状態から、該第２の表示アイテムが示す機能の実行指示に応じて該機能を実行した後、前記第２の方向に選択を切り替える指示がなされることなく、前記第２の指示があった場合にも、前記第１の表示アイテムの位置に基づいて決定される表示アイテムに選択を切り替えるように制御することを特徴とする請求項１乃至９の何れか１項に記載の表示制御装置。
【請求項１１】
前記受付手段は更に、前記複数の表示アイテムのうち、現在選択している表示アイテムから第１の方向と平行な逆方向である第３の方向にある他の表示アイテムに選択を切り替える指示を受け付け可能であり、
前記制御手段は、前記第２の指示に応じて選択された第５の表示アイテムを選択した状態から、前記第２の方向に選択を切り替える指示がなされることなく、前記第３の方向に選択を切り替える指示があった場合にも、前記第１の表示アイテムの位置に基づいて決定される表示アイテムに選択を切り替えるように制御することを特徴とする請求項１乃至１０の何れか１項に記載の表示制御装置。
【請求項１２】
前記表示制御手段は、前記複数の表示アイテムを、行列に整列することなく表示するように制御することを特徴とする請求項１乃至１１のいずれか１項に記載の表示制御装置。
【請求項１３】
前記制御手段は、前記第２の指示があった場合、前記第２の表示アイテムよりも前記第１の方向に選択すべき表示アイテムが無かった場合には、表示領域のうち前記第１の方向と逆方向の端から該第１の方向にある表示アイテムのうち、前記第１の表示アイテムの位置に基づいて決定される表示アイテムに選択を切り替えるように制御することを特徴とする請求項１乃至１２の何れか１項に記載の表示制御装置。
【請求項１４】
前記制御手段は、前記第２の指示があった場合、前記第２の表示アイテムが表示された行の次の行に、前記第１の表示アイテムの前記第２の軸方向の幅をもつ範囲に少なくとも一部が重なる表示アイテムが無かった場合には、更に次の行に含まれる表示アイテムのうち、前記第２の軸方向の位置が、前記第１の表示アイテムの前記第２の軸方向の位置に最も近い表示アイテムを選択するように制御することを特徴とする請求項２に記載の表示制御装置。
【請求項１５】
前記複数の表示アイテムは、文字入力のためのソフトキーボードに含まれる各入力キーを示す表示アイテムであることを特徴とする請求項１乃至１４の何れか１項に記載の表示制御装置。
【請求項１６】
上下左右の４方向への指示が可能な操作部材である十字キーを有し、
前記受け付け手段は、前記第１の方向にある他の表示アイテムに選択を切り替える指示は前記十字キーに対する上または下への操作に応じて受け付け、前記第２の方向にある他の表示アイテムに選択を切り替える指示は前記十字キーに対する左または右への操作に応じて受け付けることを特徴とする請求項１乃至１５の何れか１項に記載の表示制御装置。
【請求項１７】
撮像手段を有する撮像装置であることを特徴とする請求項１乃至１６の何れか１項に記載の表示制御装置。
【請求項１８】
選択されている表示アイテムの、前記第２の方向と平行な第２の軸方向における位置をメモリーに記憶するように制御する記憶制御手段を更に有し、
前記記憶制御手段は、前記第１の方向に選択を切り替える指示があっても、前記メモリーに記憶した前記第２の軸方向における前記表示アイテムの位置をクリアしないことを特徴とする請求項２に記載の表示制御装置。
【請求項１９】
前記記憶制御手段は、前記第２の方向に選択が切り替えられた後に前記メモリーに記憶した前記第２の軸方向における前記表示アイテムの位置をクリアすることを特徴とする請求項１８に記載の表示制御装置。
【請求項２０】
前記第１の方向はＹ軸と平行な方向であり、前記第２の方向はＸ軸と平行な方向であることを特徴とする請求項２に記載の表示制御装置。
【請求項２１】
選択可能な複数の選択可能な表示アイテムを表示する表示制御手段と、
前記複数の表示アイテムのうち、現在選択している表示アイテムから第１の方向にある他の表示アイテムに選択を切り替える指示と、現在選択している表示アイテムから該第１の方向と平行でない第２の方向にある他の表示アイテムに選択を切り替える指示とを受け付け可能な受付手段と、
所定の時点で選択されている第１の表示アイテムの、前記第２の方向と平行な第２の軸方向における位置をメモリーに記憶するように制御する記憶制御手段と、
前記第１の方向に選択を切り替える指示に応じて、該指示を受け付ける前に選択されていた表示アイテムよりも前記第１の方向にある表示アイテムのうち、前記記憶制御手段によって記憶した前記第１の表示アイテムの前記第２の軸方向における位置に基づいて決定される表示アイテムに選択を切り替えるように制御する制御手段とを有し、
前記記憶制御手段は、前記第１の方向に選択を切り替える指示があっても、前記メモリーに記憶した前記第２の軸方向における前記第１の表示アイテムの位置をクリアしないことを特徴とする表示制御装置。
【請求項２２】
選択可能な複数の表示アイテムを表示する表示制御ステップと、
前記複数の表示アイテムのうち、現在選択している表示アイテムから第１の軸方向と平行な第１の方向にある他の表示アイテムに選択を切り替える指示と、現在選択している表示アイテムから該第１の軸方向と平行でない第２の軸方向と平行な第２の方向にある他の表示アイテムに選択を切り替える指示とを受け付け可能な受付ステップと、
前記第１の方向に選択を切り替える第１の指示があった場合に、該第１の指示を受け付ける前に選択されていた第１の表示アイテムが表示された行の次の行に含まれる表示アイテムのうち、前記第２の軸方向の位置が、前記第１の表示アイテムの前記第２の軸方向の位置に最も近い第２の表示アイテムを選択し、
前記第１の指示に応じて前記第２の表示アイテムを選択した状態から、前記第２の方向へ選択を切り替える指示がなされることなく、前記第１の方向へ選択を切り替える第２の指示があった場合、前記第２の表示アイテムが表示された行の次の行に含まれる表示アイテムのうち、前記第２の軸方向の位置が、前記第１の表示アイテムの前記第２の軸方向の位置に最も近い表示アイテムを選択するように制御する制御ステップ
とを有することを特徴とする表示制御装置の制御方法。
【請求項２３】
選択可能な複数の選択可能な表示アイテムを表示する表示制御ステップと、
前記複数の表示アイテムのうち、現在選択している表示アイテムから第１の方向にある他の表示アイテムに選択を切り替える指示と、現在選択している表示アイテムから該第１の方向と平行でない第２の方向にある他の表示アイテムに選択を切り替える指示とを受け付け可能な受付ステップと、
前記第１の方向に選択を切り替える第１の指示があった場合に、該第１の指示を受け付ける前に選択されていた第１の表示アイテムよりも前記第１の方向にある表示アイテムのうち、前記第１の表示アイテムの位置に基づいて決定される第２の表示アイテムに選択を切り替え、
前記第１の指示に応じて前記第２の表示アイテムを選択した状態から、前記第２の方向に選択を切り替える指示がなされることなく、前記第１の方向に選択を切り替える第２の指示があった場合、前記第２の表示アイテムよりも前記第１の方向にある表示アイテムのうち、前記第１の表示アイテムの位置に基づいて決定される表示アイテムに選択を切り替えるように制御する制御ステップと
を有することを特徴とする表示制御装置の制御方法。
【請求項２４】
選択可能な複数の選択可能な表示アイテムを表示する表示制御ステップと、
前記複数の表示アイテムのうち、現在選択している表示アイテムから第１の軸方向と平行な第１の方向にある他の表示アイテムに選択を切り替える指示と、現在選択している表示アイテムから該第１の軸方向と平行でない第２の軸方向と平行な第２の方向にある他の表示アイテムに選択を切り替える指示とを受け付け可能な受付ステップと、
前記第１の方向に選択を切り替える第１の指示があった場合に、該第１の指示を受け付ける前に選択されていた第１の表示アイテムよりも第１の方向にあって、かつ、前記第１の表示アイテムの前記第２の軸方向の幅をもつ範囲に少なくとも一部が重なる表示アイテムのうち、前記第１の表示アイテムに最も近い第２の表示アイテムに選択を切り替え、
前記第１の指示に応じて前記第２の表示アイテムを選択した状態から、前記第２の方向に選択を切り替える指示がなされることなく、前記第１の方向に選択を切り替える第２の指示があった場合、前記第２の表示アイテムよりも前記第１の方向にあって、かつ、前記範囲に少なくとも一部が重なる表示アイテムのうち、前記第２の表示アイテムの前記第１の軸方向における位置と、前記第１の表示アイテムの前記第２の軸方向における位置とに示される点に最も近い表示アイテムを選択するように制御する制御ステップと
を有することを特徴とする表示制御装置の制御方法。
【請求項２５】
選択可能な複数の選択可能な表示アイテムを表示する表示制御ステップと、
前記複数の表示アイテムのうち、現在選択している表示アイテムから第１の方向にある他の表示アイテムに選択を切り替える指示と、現在選択している表示アイテムから該第１の方向と平行でない第２の方向にある他の表示アイテムに選択を切り替える指示とを受け付け可能な受付ステップと、
所定の時点で選択されている第１の表示アイテムの、前記第２の方向と平行な第２の軸方向における位置をメモリーに記憶するように制御する記憶制御ステップと、
前記第１の方向に選択を切り替える指示に応じて、該指示を受け付ける前に選択されていた表示アイテムよりも前記第１の方向にある表示アイテムのうち、前記記憶制御ステップによって記憶した前記第１の表示アイテムの前記第２の軸方向における位置に基づいて決定される表示アイテムに選択を切り替えるように制御する制御ステップとを有し、
前記記憶制御ステップは、前記第１の方向に選択を切り替える指示があっても、前記メモリーに記憶した前記第２の軸方向における前記第１の表示アイテムの位置をクリアしないことを特徴とする表示制御装置の制御方法。
【請求項２６】
コンピュータを、請求項１乃至２１のいずれか１項に記載された表示制御装置の各手段として機能させるプログラム。
【請求項２７】
コンピュータを、請求項１乃至２１のいずれか１項に記載された表示制御装置の各手段として機能させるプログラムを格納したコンピュータが読み取り可能な記憶媒体。